(57)【要約】【課題】クッション性を有し、表面が天然木特有の美しい木目と重厚感や温かさを備え、さらに部分汚損してもその汚損部分だけを取り替えることができる装飾性パネルユニットを提供する。【解決手段】厚さが１〜１０ｍｍの柔軟な弾性シートの表面に、それぞれ木目や色調の異なる少なくとも２種の極薄の天然木目シートを貼り合わせ、それぞれを所定の形状に裁断して組み合わせ貼り付けできるパネルユニットとなした。【選択図】      図１
2004211412.tif 000002
【特許請求の範囲】
【請求項１】
厚さが１〜１０ｍｍの弾性シートの表面に、極薄の天然木目シートが貼り合わされて所定の形状に裁断された天然木目の異なる少なくとも２種のユニットからなることを特徴とする装飾性パネルユニット。
【請求項２】
上記ユニットがその一部を切断することによりパネル端部に利用可能な形状であることを特徴とする請求項１記載の装飾性パネルユニット。
【請求項３】
上記ユニットの端縁に、一方のユニットと他方のユニットとがそれぞれ連結可能な凹部と凸部が設けられていることを特徴とする請求項１記載の装飾性パネルユニット。
【発明の詳細な説明】
【０００１】
【発明の属する技術分野】
本発明は装飾性パネルユニット、特に一般家庭用はもとより各種の建物内の壁面や腰板の表面材として好適であり、またスリッパを履いて歩行する床表面の構成にも利用可能な天然木の装飾性パネルユニットに関するものである。
【０００２】
【従来の技術】
例えば応接室や洋室の壁面を装飾する手段として、裁断が容易であり易剥離性の多種多様な壁紙や布帛（以下壁紙という）が汎用されいる。また近年、床面用としては貼り付けまたは連結可能な組み合わせ式マットが使用されるに至っている。
【発明が解決しようとする課題】
【０００３】
ところが上記した壁紙は貼付作業性がよくまた剥離可能であることからリフォーム（模様替え）も容易であるという利点を有しているが、重厚感や天然木のような温かさに乏しく、また一枚の壁紙が大きいため、汚損した場合は一枚の壁紙全体を取り替えしなければならない。そのうえ、クッション性に欠けるため壁に衝突した場合の衝撃が大きく、更なる改善が求められていた。
【０００４】
本発明は上記した課題を解決することを目的としてなされたものであり、壁面に貼り付けることにより高級感、重厚感、それに天然木特有の温かさを表現でき、また部分汚損してその汚損部分のみを交換することができる天然木の装飾性パネルユニットを提供するものである。
【０００５】
【課題を解決するための手段】
本発明は、装飾性パネルユニットを、弾性シートの表面にそれぞれ天然木目の異なる天然木材から得られた木目シートを貼り合わして表面模様の異なる少なくとも２種のパネルユニットとなし、このパネルユニットの多数を任意に配列して貼り付け、壁面や床面の表面を天然木目に形成できるようになすことによって上記課題を解決したものである。即ち、本発明の装飾性パネルユニットは、厚さが２〜５ｍｍの弾性シートの表面に、極薄の天然木目シートが貼り合わされて所定の形状に裁断された少なくとも天然木目の異なる２種のユニットからなることを特徴としているものである。
【０００６】
上記した本発明の天然木目異なる２種のユニットからなる装飾性パネルユニットは、２種のユニットを多数並列接合して壁面や腰板の表面パネルを形成するものであり、上記ユニットがその一部を切断することによりパネル端部の補完用に利用可能な形状をなしている。このような形状としては、左右対象の例えば正方形、長方形、菱形、六角形等、または少なくとも２枚を組み合わせて左右対象の形状となる形が好都合である。
【０００７】
また例えば本発明のパネルユニットでもって壁面や床面を形成する場合、貼付面とパネルユニットの裏面との間に両面接着性のテープを介装することにより簡単に並列接合することができる。また各ユニットの端縁に、一方のユニットと他方のユニットとがそれぞれ連結可能な凹部と凸部が設け一方のユニットと他方のユニットとがそれぞれ連結可能な凹部と凸部を設け、この凹部と凸部を嵌合して所望の大きさに連結するようになしてもよい。
【０００８】
本発明の装飾性パネルユニットに適用する厚さが１〜１０ｍｍの弾性シートとしては、天然ゴム、合成ゴム、あるいはゴム状弾性を有し、断熱性、フレキシブル性、難燃性を備えた合成樹脂、例えば塩化ビニルの発泡シート、エチレン−酢酸ビニル共重合体やポリエチレン発泡シートなどが挙げられ、壁面への貼付用としては１〜５ｍｍ程度の厚さがよく、床面用としては５〜１０ｍｍの重厚なものを適用するとよい。
【０００９】
また上記弾性シートの表面に貼り合わされる天然木目シートとしては、原木を薄くスライスしたツキ板の裏面に高強度の湿式不織布を貼り合わされ、従来から各種の基材の表面の化粧用ラッピング材として用いられている天然木目が表現された厚さが０．１５〜０．５ｍｍの極薄のものが好適である。木目シートの厚さが０．５ｍｍより大きいとクッション性とフレキシブル性が損なわれ、また厚さが０．１５ｍｍより小さいと表面強度が低下し、損傷し易くなる。壁面用としての好ましい厚さは０．２〜０．５ｍｍ、床面用としては厚さは０．１５〜０．３ｍｍ程度が望ましく、また表面の耐磨耗性、耐擦傷性、耐衝撃性、防汚染性の向上、あるいは表面に適度に防滑性を付与するために、木目シートの表面にウレタン系の塗料を塗布し、あるいは透明なフィルムをラミネートしてもよい。
【００１０】
【発明の実施の形態】
以下本発明の実施の形態を実施例として示した図面に基づいて説明るすと、図１は本発明の一つの装飾性パネルユニット１の斜視図、図２は図１の断面図、そして図３は本発明の天然木目の異なる２種の装飾性パネルユニット１、２を縦横交互に配して壁面に貼り付けた正面図である。
【００１１】
図１に示したパネルユニット１は縦横３０ｃｍの正方形をなし、原木をスライスして得られた天然木目の異なる厚さ約０．２ｍｍのツキ板の裏面に湿式不織布を貼り合わせてなる厚さが約０．３ｍｍの木目の異なるシートをそれぞれ幅５０ｍｍのテープ状に裁断し、この２種のテープを平織風に組織して市松模様のシートなしたのち湿式不織布でもって裏打ちしてなる木目シート３を、厚さが３ｍｍの弾性シート４の表面に貼り併せて形成されている。（上記市松模様の木目シートの製造方法については特開平１０−３２９１１１号公報を参照されたし）。
【００１２】
図３に示した他方のパネルユニット２としては、本実施例においては上記パネルユニット１のテープよりも幅広い天然木目の異なる２種のテープでもって市松模様に組織して形成した木目シート３を、上記同様に厚さが３ｍｍの弾性シート２の表面に貼り合わせて形成されていて、このユニット２と上記のユニット１でもって天然木目の異なる２種のユニット１、２が構成されている。そして実施例においてはこの２種のユニット１、２を壁面と各ユニット１、２との間に例えば両面接着性テープを介装させながら左右上下に交互に配し、順次端縁を突き合わせ接合して壁面に木調の表面を形成する。しかしながら両ユニット１、２の木目シート３の天然木目については本実施例に特定されるものでなく、色調や木目表現の異なる数種の木目シート使用して天然木目の異なる数種のユニットとなしても本発明の目的を達成できることは勿論である。
【００１３】
上記実施例においては正方形の天然木目の異なる２種のユニット１、２でもって壁面の表面を形成した態様を示しているが、図４に示したように、木目模様の異なる２種のユニット１、２をそれぞれ正菱形となし、この菱形のユニット１、２を上下交互に配し壁面の表面を形成することも本発明の好ましい実施の形態である。この場合、左右と上下の端部に３角形状の隙間が生じるが、２種のユニット１、２が左右上下対象の形であるため、この隙間はユニット１、２を縦方向または横方向に２分することにより隙間と同じ形に形成でき、この裁断片１ａ、２ａでもって隙間を補完すればよい。
【００１４】
天然木目の異なる２種のユニット１、２としては、上記実施例のように天然木目の異なるテープ状のシートを組織して織り目模様として表現すれば、ツキ板自体のもつ天然木目のほかに織り目模様が表現され、図３や図５に示したように、顕著にしかも豪華な壁面を形成すめことができるが、ツキ板の原木には色調の濃淡や木目筋の細いものや太いものあるいは柾目や板目やロータリー杢などが存在することから、その色調や木目筋などのテリ感の差異を利用して天然木目の異なる数種のユニットとなすこともできる。図６はその実施例を示しているものである。
【００１５】
即ち、色調が赤茶の原木から得られた木目シートと色調が白っぽい原木から得られた厚さ約０．２ｍｍのツキ板の裏面に直接湿式不織布を貼り合わせてなる厚さが約０．３ｍｍの天然木目の異なる木目シート３を準備し、これら天然木目と色調の異なる木目シート３を、前記実施例同様に厚さが３ｍｍの弾性シート４の表面に貼り合わして所定の形状に裁断することによって、少なくとも天然木目の異なる２種のユニット１、２となすことができる。この実施例における色調が赤茶の原木としては、カバ、チェリー、サベリ、マコレ等がそして色調が白っぽい原木としてはオーク、タモ、シナ、メープル等が挙げられ、これらを任意に組み合わせて使用するとよい。
【００１６】
図７は上記実施例の天然木目の異なる２種のユニット１、２でもって壁面の表面を形成した態様を示している。
【００１７】
なお、図８に示しているように、各ユニット１、２の端縁に、一方のユニットと他方のユニットとがそれぞれ連結可能な凹部５と凸部６を設け、この凹部５と凸部６を嵌合して所望の大きさに連結できるようになしておけば、床面用として好適となり、接着剤を使用することなく配設でき、また汚損時の交換も容易となる。
【００１８】
【発明の効果】
このように本発明の装飾性パネルユニットは、厚さが２〜５ｍｍの弾性シート４の表面に、極薄の木目シート３が貼り合わされて所定の形状に裁断された少なくとも天然木目の異なる２種のユニット１、２からなるものであるから、在来の壁面や腰板の表面に、異なる天然木目が表現された少なくとも２種のユニット１、２を任意に配置して貼り付けることにより、壁面や腰板の表面を温かさと落ち着きを有する優雅な天然木に形成することができ、さらに貼り付け作業も容易であり、また部分汚損が生じてもその汚損部分だけを交換することができる。
【００１９】
また弾性シート４の存在により適度なクッション性を備えているから、パネル面に衝突しても怪我や物品の損傷が少なく、壁面や腰板の貼り付け面に段差があってもその段差に沿って貼りつけることも可能であり、さらに洋室の床マットとしても利用することができる。
【００２０】
その上、ユニット１、２が、左右対象の正方形、長方形、菱形、六角形等、または少なくとも２枚を組み合わせて左右対象の形状となる形に裁断されているから、その一部を切断することによりその切断片をパネル端部用として活用することができ、不足部分を補完も容易に行うことができる。
【００２１】
さらに各ユニット１、２の端縁に、一方のユニットと他方のユニットとがそれぞれ連結可能な凹部５と凸部６を設けておけば、この種の従来のマットと同様に任意の広さに連結することが、交換も容易となる。
【図面の簡単な説明】
【図１】本発明のパネルユニット実施例を示した斜視図である。
【図２】図１の断面図である。
【図３】本発明の天然木目の異なる装飾性パネルユニットを縦横交互に配して壁面を形成した正面図である。
【図４】本発明のパネルユニットの他の実施例を示した斜視図である。
【図５】図４の天然木目の異なる菱形のパネルユニットでもって壁面を形成した正面図である。
【図６】本発明のさらに他の実施例を示した平面図である。
【図７】図６の天然木目の異なるパネルユニットでもって壁面を形成した正面図である。
【図８】パネルユニットに連結用の凹部と凸部を設けた態様を示した斜視図である。
【符号の説明】
１．一方のユニット
２．他方のユニット
３．木目シート
４．弾性シート
５．凹部
６．凸部
【図１】
2004211412.tif 000003
【図２】
2004211412.tif 000004
【図３】
2004211412.tif 000005
【図４】
2004211412.tif 000006
【図５】
2004211412.tif 000007
【図６】
2004211412.tif 000008
【図７】
2004211412.tif 000009
【図８】
2004211412.tif 000010